【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】    
【請求項１】一般式（Ｉ）
1999240880.tif 000001
｛式中、
Ｒ1は、炭素数３乃至７個のシクロアルキル基、３乃至７員飽和複素環基、置換基群Ａ及び置換基群Ｂより選択される基で１乃至３個置換された炭素数３乃至７個のシクロアルキル基、又は、置換基群Ａ及び置換基群Ｂより選択される基で１乃至２個置換された３乃至７員飽和複素環基を示し、
Ｒ2は、アリール基、ヘテロアリール基、置換基群Ａより選択される基で１乃至３個置換されたアリール基、又は、置換基群Ａより選択される基で１乃至３個置換されたヘテロアリール基を示し、
Ａは、メチレン基、カルボニル基又はスルホニル基を示し、
Ｂは、単結合、炭素数１乃至４個のアルキレン基又は炭素数２乃至４個のアルケニレン基を示し、
Ｄは、酸素原子又は硫黄原子を示し、
Ｇは、炭素数１乃至４個のアルキレン基又は炭素数２乃至４個のアルケニレン基を示し、
Ｌは、一般式−Ｎ（Ｒ3）−、又は一般式−Ｃ（Ｒ4）（Ｒ5）−を有する基［式中、
Ｒ3は、アリール基、ヘテロアリール基、置換基群Ａより選択される基で１乃至３個置換されたアリール基、又は置換基群Ａより選択される基で１乃至３個置換されたヘテロアリール基を示し、
Ｒ4は、水素原子、アリール基、ヘテロアリール基、置換基群Ａより選択される基で１乃至３個置換されたアリール基、置換基群Ａより選択される基で１乃至３個置換されたヘテロアリール基、炭素数３乃至７個のシクロアルキル基、３乃至７員飽和複素環基、置換基群Ａ及び置換基群Ｂより選択される基で１乃至３個置換された炭素数３乃至７個のシクロアルキル基、又は、置換基群Ａ及び置換基群Ｂより選択される基で１乃至２個置換された３乃至７員飽和複素環基を示し、
Ｒ5は、低級アルキル基、アミノ基、アシルアミノ基、アシルアミノ低級アルキル基、窒素原子が低級アルキル基で置換されたアシルアミノ基、水酸基、アラルキル基で酸素原子が置換されていてもよいヒドロキシ低級アルキル基、低級アルコキシ基、又は一般式−ＣＯ−Ｒ6を有する基（式中、
Ｒ6は、低級アルキル基、低級アルコキシ基、アミン残基、置換基群Ａより選択される基で１乃至３個置換されたアリール基、若しくは、置換基群Ａより選択される基で１乃至３個置換されたヘテロアリール基を示す。）を示すか、或はＲ4及びＲ5が一緒になって、それらが結合している炭素原子を含めて、炭素数５乃至８個のシクロアルカン環、炭素数５乃至８個のシクロアルケン環、又は５乃至８員環飽和複素環（該環は、置換基群Ａ及び置換基群Ｂより選択される基で１乃至２個置換されていてもよく、アリール環、ヘテロアリール環、置換基群Ａより選択される基で１乃至３個置換されたアリール環又は置換基群Ａより選択される基で１乃至３個置換されたヘテロアリール環と縮環していてもよい。）を示す。］を示し、
Ｒ7は、低級アルキル基を示し、
Ｚは、２個の水素原子、又は酸素原子を示し、
ｎは、０、１又は２を示す。｝で表わされる化合物、その薬理上許容される塩、そのエステル又はその他の誘導体。
［置換基群Ａ］
ハロゲン原子、低級アルキル基、ハロゲノ低級アルキル基、低級アルコキシ基、低級アルコキシカルボニル基、カルボキシル基、水酸基、低級脂肪族アシル基、低級脂肪族アシルアミノ基、アミノ基、及び、シアノ基
［置換基群Ｂ］
オキソ基及びチオール基；並びに、窒素原子上の置換基として、置換基群Ａで置換されていてもよい、低級アルキル、アリール及びアラルキル基、低級アルカンスルホニル基、及びアシル基。
【請求項２】請求項１において、
Ｒ1が、炭素数３乃至６個のシクロアルキル基、５乃至６員飽和複素環基、置換基群Ａ及び置換基群Ｂより選択される基で１乃至３個置換された炭素数３乃至６個のシクロアルキル基、又は、置換基群Ａ及び置換基群Ｂより選択される基で１乃至２個置換された５乃至６員飽和複素環基である化合物、その薬理上許容される塩、そのエステル又はその他の誘導体。
【請求項３】請求項１において、
Ｒ1が、炭素数３乃至６個のシクロアルキル基、５乃至６員飽和複素環基、又は置換基群Ａ及び置換基群Ｂより選択される基で１乃至２個置換された５乃至６員飽和複素環基である化合物、その薬理上許容される塩、そのエステル又はその他の誘導体。
【請求項４】請求項１乃至請求項３より選択されるいずれか１項において、
Ｒ2が、１乃至３個のハロゲン原子で置換されたアリール基である化合物、その薬理上許容される塩、そのエステル又はその他の誘導体。
【請求項５】請求項１乃至請求項４より選択されるいずれか１項において、
Ａがカルボニル基であり、Ｚが２個の水素原子であるか、又はＡがメチレン基であり、Ｚが酸素原子である化合物、その薬理上許容される塩、そのエステル又はその他の誘導体。
【請求項６】請求項１乃至請求項４より選択されるいずれか１項において、
Ａが、カルボニル基である化合物、その薬理上許容される塩、そのエステル又はその他の誘導体。
【請求項７】請求項１乃至請求項６より選択されるいずれか１項において、
Ｂが、単結合である化合物、その薬理上許容される塩、そのエステル又はその他の誘導体。
【請求項８】請求項１乃至請求項７より選択されるいずれか１項において、
Ｄが、酸素原子である化合物、その薬理上許容される塩、そのエステル又はその他の誘導体。
【請求項９】請求項１乃至請求項８より選択されるいずれか１項において、
Ｇが、炭素数２又は３個のアルキレン基である化合物、その薬理上許容される塩、そのエステル又はその他の誘導体。
【請求項１０】請求項１乃至請求項９より選択されるいずれか１項において、
Ｌが、一般式−Ｃ（Ｒ4）（Ｒ5）−を有する基である化合物、その薬理上許容される塩、そのエステル又はその他の誘導体。
【請求項１１】請求項１乃至請求項９より選択されるいずれか１項において、
Ｒ4及びＲ5が一緒になって、それらが結合している炭素原子を含めて、炭素数５乃至８個のシクロアルカン環、炭素数５乃至８個のシクロアルケン環、又は５乃至８員環飽和複素環（該環は、置換基群Ａ及び置換基群Ｂより選択される基で１乃至２個置換されていてもよく、アリール環、ヘテロアリール環、置換基群Ａより選択される基で１乃至３個置換されたアリール環又は置換基群Ａより選択される基で１乃至３個置換されたヘテロアリール環と縮環していてもよい。）を形成している化合物、その薬理上許容される塩、そのエステル又はその他の誘導体。
【請求項１２】請求項１乃至請求項９より選択されるいずれか１項において、
Ｒ4及びＲ5が一緒になって、それらが結合している炭素原子を含めて、炭素数５乃至６個のシクロアルカン環、炭素数５乃至６個のシクロアルケン環、或は５乃至６員環飽和複素環（該環は、置換基群Ａ及び置換基群Ｂより選択される基で１乃至２個置換されていてもよく、アリール環、ヘテロアリール環、置換基群Ａより選択される基で１乃至３個置換されたアリール環又は置換基群Ａより選択される基で１乃至３個置換されたヘテロアリール環と縮環していてもよい。）を形成している化合物、その薬理上許容される塩、そのエステル又はその他の誘導体。
【請求項１３】請求項１乃至請求項９より選択されるいずれか１項において、
Ｒ4及びＲ5が一緒になって、それらが結合している炭素原子を含めて、シクロペンタン環、シクロペンテン環、テトラヒドロチオフェン環、テトラヒドロチオフェンスルホキシド環、テトラヒドロチオフェンスルホン環又はピペリジン環（該環は、置換基群Ａ及び置換基群Ｂより選択される基で１乃至２個置換されていてもよく、アリール環、ヘテロアリール環、置換基群Ａより選択される基で１乃至３個置換されたアリール環又は置換基群Ａより選択される基で１乃至３個置換されたヘテロアリール環と縮環していてもよい。）を形成している化合物、その薬理上許容される塩、そのエステル又はその他の誘導体。
【請求項１４】請求項１乃至請求項１３より選択されるいずれか１項において、
Ｚが、２個の水素原子である化合物、その薬理上許容される塩、そのエステル又はその他の誘導体。
【請求項１５】請求項１乃至請求項１４より選択されるいずれか１項において、
ｎが、０又は１である化合物、その薬理上許容される塩、そのエステル又はその他の誘導体。
【請求項１６】請求項１乃至請求項１４より選択されるいずれか１項において、
ｎが、１である化合物、その薬理上許容される塩、そのエステル又はその他の誘導体。
【請求項１７】請求項１において、
下記より選択されるいずれか１つの化合物、その薬理上許容される塩、そのエステル又はその他の誘導体：
・１−｛２−［（２Ｒ）−（３，４−ジクロロフェニル）−４−（シクロプロパンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジクロロフェニル）−４−（シクロブタンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジクロロフェニル）−４−（シクロペンタンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジクロロフェニル）−４−（シクロヘキサンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジフルオロフェニル）−４−（シクロプロパンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジフルオロフェニル）−４−（シクロブタンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジフルオロフェニル）−４−（シクロペンタンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジフルオロフェニル）−４−（シクロヘキサンカルボニル）モルホリン−２−イル］エチル｝スピロ［ベンゾ［ｃ］チオフェン−１（３Ｈ），４’−ピペリジン］−（２Ｓ）−オキシド、
・１−｛２−［（２Ｒ）−（３，４−ジクロロフェニル）−４−（シクロプロパンカルボニル）モルホリン−２−イル］エチル｝スピロ［（（２Ｓ）−ヒドロキシ）インダン−１，４’−ピペリジン］、
・１−｛２−［（２Ｒ）−（３，４−ジクロロフェニル）−４−（シクロブタンカルボニル）モルホリン−２−イル］エチル｝スピロ［（（２Ｓ）−ヒドロキシ）インダン−１，４’−ピペリジン］、
・１−｛２−［（２Ｒ）−（３，４−ジクロロフェニル）−４−（シクロペンタンカルボニル）モルホリン−２−イル］エチル｝スピロ［（（２Ｓ）−ヒドロキシ）インダン−１，４’−ピペリジン］、
・１−｛２−［（２Ｒ）−（３，４−ジクロロフェニル）−４−（シクロヘキサンカルボニル）モルホリン−２−イル］エチル｝スピロ［（（２Ｓ）−ヒドロキシ）インダン−１，４’−ピペリジン］、
・１−｛２−［（２Ｒ）−（３，４−ジフルオロフェニル）−４−（シクロプロパンカルボニル）モルホリン−２−イル］エチル｝スピロ［（（２Ｓ）−ヒドロキシ）インダン−１，４’−ピペリジン］、
・１−｛２−［（２Ｒ）−（３，４−ジフルオロフェニル）−４−（シクロブタンカルボニル）モルホリン−２−イル］エチル｝スピロ［（（２Ｓ）−ヒドロキシ）インダン−１，４’−ピペリジン］、
・１−｛２−［（２Ｒ）−（３，４−ジフルオロフェニル）−４−（シクロペンタンカルボニル）モルホリン−２−イル］エチル｝スピロ［（（２Ｓ）−ヒドロキシ）インダン−１，４’−ピペリジン］、
・１−｛２−［（２Ｒ）−（３，４−ジフルオロフェニル）−４−（シクロヘキサンカルボニル）モルホリン−２−イル］エチル｝スピロ［（（２Ｓ）−ヒドロキシ）インダン−１，４’−ピペリジン］、
・１−｛２−［（２Ｒ）−（３，４−ジクロロフェニル）−４−（シクロプロパンカルボニル）モルホリン−２−イル］エチル｝−４−フェニルピペリジン−４−カルボン酸アミド、及び
・１−｛２−［（２Ｒ）−（３，４−ジクロロフェニル）−４−（シクロペンタンカルボニル）モルホリン−２−イル］エチル｝−４−（２−ピリジル）ピペリジン−４−カルボン酸アミド。
【請求項１８】請求項１乃至請求項１７より選択されるいずれか１項に記載の化合物、その薬理上許容される塩、そのエステル又はその他の誘導体を有効成分として含有する医薬。